(57)【要約】【課題】ユーザが書き込んだ文字等を、視認し易く表示することが可能な表示装置および表示制御プログラムを提供する。【解決手段】ディスプレイ２２は、最も黒色の濃度が高い第一階調値、第一階調値より黒色の濃度が低い第二階調値、第二階調値より黒色の濃度が低い第三階調値、および黒色を表示しない第四階調値の４つの階調値を表示することができる。文字等の書き込み入力が行われていない場合、ディスプレイ２２には、領域２２１が第一階調値、領域２２２が第二階調値、領域２２３が第三階調値、および領域２２４が第四階調値である画像が表示される。ユーザが、領域２２１，２２２，２２３，２２４にそれぞれ文字「Ｃ」「Ｄ」「Ｅ」「Ｆ」を書き込むと、文字「Ｃ」「Ｄ」「Ｅ」「Ｆ」は第一階調値で表示される。このとき、領域２２１が文字「Ｃ」「Ｄ」「Ｅ」「Ｆ」の階調値とは異なる第二階調値で表示される。【選択図】図１１
2012053541.tif 000002
【特許請求の範囲】
【請求項１】
ピクセル毎に単色を複数の階調値で表示して、記憶手段に記憶された画像データに基づく画像を表示可能な表示手段を備えた表示装置であって、
前記表示手段に表示された前記画像に対してユーザによって入力される書き込み入力に対応する書き込み入力データを取得する入力取得手段と、
前記入力取得手段によって前記書き込み入力データが取得されたことを検出する入力検出手段と、
前記入力取得手段によって前記書き込み入力データが取得されたことが、前記入力検出手段によって検出された場合に、前記入力取得手段によって取得された前記書き込み入力データに基づく前記書き込み入力に対応するピクセルである書き込みピクセル以外の前記画像のピクセルである画像ピクセルを、予め設定された前記画像ピクセルの階調値である画像階調値とは異なる階調値で前記表示手段に表示させると共に、前記書き込みピクセルを予め設定された所定の階調値である書き込み階調値で前記表示手段に表示させる第一表示制御手段と
を備えたことを特徴とする表示装置。
【請求項２】
前記第一表示制御手段は、前記入力取得手段によって前記書き込み入力データが取得されたことが、前記入力検出手段によって検出された場合に、前記画像ピクセルを、前記書き込み階調値とは異なる階調値で前記表示手段に表示させると共に、前記書き込みピクセルを前記書き込み階調値で前記表示手段に表示させることを特徴とする請求項１に記載の表示装置。
【請求項３】
前記記憶手段に記憶された前記画像データにおいて、前記各ピクセルについてのデータは、前記画像の前記ピクセル毎の階調値を表す複数のビットである第一ビットと、前記第一ビットに対応付けられる少なくとも１のビットである第二ビットとを含み、
前記書き込みピクセルにおける前記第二ビットを、前記入力取得手段によって取得されたことを示す値に設定するビット設定手段を備え、
前記第一表示制御手段は、前記入力取得手段によって前記書き込み入力データが取得されたことが、前記入力検出手段によって検出された場合に、前記画像ピクセルを、前記書き込み階調値とは異なる階調値で前記表示手段に表示させると共に、前記入力取得手段によって取得されたことを示す値に、前記ビット設定手段によって前記第二ビットが設定されている前記書き込みピクセルを前記書き込み階調値で前記表示手段に表示させることを特徴とする請求項１または２に記載の表示装置。
【請求項４】
前記書き込み入力を行うユーザを識別するための情報である識別情報を取得して、取得した前記識別情報に基づいてユーザを識別する識別手段を備え、
前記ビット設定手段は、前記書き込みピクセルにおける前記第二ビットを、前記識別手段によって識別されたユーザによって書き込まれたことを示す値に設定し、
前記第一表示制御手段は、前記入力取得手段によって前記書き込み入力データが取得されたことが、前記入力検出手段によって検出された場合に、前記画像ピクセルを前記書き込み階調値とは異なる階調値で前記表示手段に表示させると共に、識別されたユーザによって書き込まれたことを示す値に、前記ビット設定手段によって前記第二ビットが設定されている前記書き込みピクセルを、前記書き込み階調値で前記表示手段に表示させることを特徴とする請求項３に記載の表示装置。
【請求項５】
前記第一表示制御手段は、前記入力取得手段によって前記書き込み入力データが取得されたことが、前記入力検出手段によって検出された場合に、前記画像ピクセルを前記書き込み階調値とは異なる階調値で前記表示手段に表示させると共に、識別されたユーザによって書き込まれたことを示す値に、前記ビット設定手段によって前記第二ビットが設定されている前記書き込みピクセルを、識別されたユーザ毎にそれぞれ異なる前記書き込み階調値で前記表示手段に表示させることを特徴とする請求項４に記載の表示装置。
【請求項６】
識別されたユーザによって書き込まれたことを示す値に、前記第二ビットが設定されている前記書き込みピクセルのうち、特定のユーザによって書き込まれたことを示す値に、前記第二ビットが設定されている前記書き込みピクセルを、ユーザの指示に従って選択する選択手段を備え、
前記画像ピクセルを前記書き込み階調値とは異なる階調値で前記表示手段に表示させると共に、前記選択手段によって選択された前記書き込みピクセルを前記書き込み階調値で前記表示手段に表示させる第二表示制御手段とを備えたことを特徴とする請求項４または５に記載の表示装置。
【請求項７】
前記画像ピクセルと前記書き込みピクセルとを異なる階調値で前記表示手段に表示させるか否かについてのユーザの指示を検出する表示指示検出手段を備え、
前記第一表示制御手段は、
前記表示指示検出手段によって前記画像ピクセルと前記書き込みピクセルとを異なる階調値で前記表示手段に表示する指示が検出された場合、且つ、前記入力取得手段によって前記書き込み入力データが取得されたことが、前記入力検出手段によって検出された場合に、前記画像ピクセルを前記書き込み階調値とは異なる階調値で前記表示手段に表示させると共に、前記書き込みピクセルを前記書き込み階調値で前記表示手段に表示させ、
前記表示指示検出手段によって前記画像ピクセルと前記書き込みピクセルとを異なる階調値で前記表示手段に表示させない指示が検出された場合、且つ、前記入力取得手段によって前記書き込み入力データが取得されたことが、前記入力検出手段によって検出された場合に、前記画像ピクセルを前記画像階調値で前記表示手段に表示させると共に、前記書き込みピクセルを前記書き込み階調値で前記表示手段に表示させることを特徴とする請求項１から６のいずれかに記載の表示装置。
【請求項８】
前記第一表示制御手段は、前記入力取得手段によって前記書き込み入力データが取得されたことが、前記入力検出手段によって検出された場合に、前記画像ピクセルのうち、前記書き込みピクセルから所定の範囲の前記画像ピクセルを前記書き込み階調値とは異なる階調値で前記表示手段に表示させると共に、前記書き込みピクセルを前記書き込み階調値で前記表示手段に表示させることを特徴とする請求項１から７のいずれかに記載の表示装置。
【請求項９】
ピクセル毎に単色を複数の階調値で表示して、記憶手段に記憶された画像データに基づく画像を表示可能な表示手段を備えた表示装置において実行される表示制御プログラムであって、
前記表示装置のＣＰＵに、
前記表示手段に表示された前記画像に対してユーザによって入力される書き込み入力に対応する書き込み入力データを取得する入力取得ステップと、
前記入力取得ステップによって前記書き込み入力データが取得されたことを検出する入力検出ステップと、
前記入力取得ステップによって前記書き込み入力データが取得されたことが、前記入力検出ステップによって検出された場合に、前記入力取得ステップによって取得された前記書き込み入力データに基づく前記書き込み入力に対応するピクセルである書き込みピクセル以外の前記画像のピクセルである画像ピクセルを、予め設定された前記画像ピクセルの階調値である画像階調値とは異なる階調値で前記表示手段に表示させると共に、前記書き込みピクセルを予め設定された所定の階調値である書き込み階調値で前記表示手段に表示させる第一表示制御ステップと
を実行させることを特徴とする表示制御プログラム。
【発明の詳細な説明】
【技術分野】
【０００１】
本発明は、ディスプレイの表示の階調値を調整することが可能な表示装置および表示制御プログラムに関する。
【背景技術】
【０００２】
従来、ディスプレイの表示の階調値を調整することが可能な表示装置が知られている。例えば、特許文献１に記載のタッチ入力装置付き小型電子機器では、タッチペンが透明タッチパネルに接触しながら移動した場合に、その移動方向および移動量を検出する。そして、検出した移動方向および移動量に基づいて画面全体の表示の階調値を変更することができる。
【先行技術文献】
【特許文献】
【０００３】
【特許文献１】特開平８−３０５４９７号公報
【発明の概要】
【発明が解決しようとする課題】
【０００４】
しかしながら、従来の表示装置において、単色表示のディスプレイを使用した場合、ディスプレイの階調数が限られており、書き込みと表示画像との階調値が同じになる確率が高くなる。このため、ユーザがディスプレイに書き込んだ文字等が、ディスプレイに表示される他の画像と同じ階調値、且つ同じ色で表示され、書き込んだ文字等を視認し難い場合があるという問題点があった。
【０００５】
本発明の目的は、ユーザが書き込んだ文字等を、視認し易く表示することが可能な表示装置および表示制御プログラムを提供することである。
【課題を解決するための手段】
【０００６】
本発明の第１の態様に係る表示装置は、ピクセル毎に単色を複数の階調値で表示して、記憶手段に記憶された画像データに基づく画像を表示可能な表示手段を備えた表示装置であって、前記表示手段に表示された前記画像に対してユーザによって入力される書き込み入力に対応する書き込み入力データを取得する入力取得手段と、前記入力取得手段によって前記書き込み入力データが取得されたことを検出する入力検出手段と、前記入力取得手段によって前記書き込み入力データが取得されたことが、前記入力検出手段によって検出された場合に、前記入力取得手段によって取得された前記書き込み入力データに基づく前記書き込み入力に対応するピクセルである書き込みピクセル以外の前記画像のピクセルである画像ピクセルを、予め設定された前記画像ピクセルの階調値である画像階調値とは異なる階調値で前記表示手段に表示させると共に、前記書き込みピクセルを予め設定された所定の階調値である書き込み階調値で前記表示手段に表示させる第一表示制御手段とを備えている。
【０００７】
この場合、画像ピクセルの階調値が予め設定された画像階調値とは異なる階調値になるように調整されて表示されると共に、書き込みピクセルが表示される。書込み画像以外の画像の階調値を調整することが可能なので、ユーザが書き込んだ文字等を、視認し易く表示することできる。
【０００８】
前記表示装置において、前記第一表示制御手段は、前記入力取得手段によって前記書き込み入力データが取得されたことが、前記入力検出手段によって検出された場合に、前記画像ピクセルを、前記書き込み階調値とは異なる階調値で前記表示手段に表示させると共に、前記書き込みピクセルを前記書き込み階調値で前記表示手段に表示させてもよい。この場合において、入力取得手段によって書き込み入力が取得された場合に、画像ピクセルと書き込みピクセルとを異なる階調値で表示することができる。このため、ユーザが書き込んだ文字等を、視認し易く表示することができる。
【０００９】
前記表示装置において、前記記憶手段に記憶された前記画像データにおいて、前記各ピクセルについてのデータは、前記画像の前記ピクセル毎の階調値を表す複数のビットである第一ビットと、前記第一ビットに対応付けられる少なくとも１のビットである第二ビットとを含み、前記書き込みピクセルにおける前記第二ビットを、前記入力取得手段によって取得されたことを示す値に設定するビット設定手段を備え、前記第一表示制御手段は、前記入力取得手段によって前記書き込み入力データが取得されたことが、前記入力検出手段によって検出された場合に、前記画像ピクセルを、前記書き込み階調値とは異なる階調値で前記表示手段に表示させると共に、前記入力取得手段によって取得されたことを示す値に、前記ビット設定手段によって前記第二ビットが設定されている前記書き込みピクセルを前記書き込み階調値で前記表示手段に表示させてもよい。
【００１０】
この場合、画像データにおける各ピクセルのデータにおける第二ビットを、入力取得手段によって取得されたことを示す値に設定し、この値に基づいて、画像ピクセルと書き込みピクセルとを異なる階調値で表示することができる。このため、ユーザが書き込んだ文字等を、視認し易く表示することができる。
【００１１】
前記表示装置は、前記書き込み入力を行うユーザを識別するための情報である識別情報を取得して、取得した前記識別情報に基づいてユーザを識別する識別手段を備え、前記ビット設定手段は、前記書き込みピクセルにおける前記第二ビットを、前記識別手段によって識別されたユーザによって書き込まれたことを示す値に設定し、前記第一表示制御手段は、前記入力取得手段によって前記書き込み入力データが取得されたことが、前記入力検出手段によって検出された場合に、前記画像ピクセルを前記書き込み階調値とは異なる階調値で前記表示手段に表示させると共に、識別されたユーザによって書き込まれたことを示す値に、前記ビット設定手段によって前記第二ビットが設定されている前記書き込みピクセルを、前記書き込み階調値で前記表示手段に表示させてもよい。
【００１２】
この場合、識別手段によって識別されたユーザによって書き込まれたことを示す値に第二ビットを設定することができる。言い換えると、書き込みを行ったユーザ毎に異なる値に第二ビットを設定することができる。そして、設定された値に基づいて、画像ピクセルと書き込みピクセルとを異なる階調値で表示することができる。このため、ユーザが書き込んだ文字等を、視認し易く表示することができる。
【００１３】
前記表示装置において、前記第一表示制御手段は、前記入力取得手段によって前記書き込み入力データが取得されたことが、前記入力検出手段によって検出された場合に、前記画像ピクセルを前記書き込み階調値とは異なる階調値で前記表示手段に表示させると共に、識別されたユーザによって書き込まれたことを示す値に、前記ビット設定手段によって前記第二ビットが設定されている前記書き込みピクセルを、識別されたユーザ毎にそれぞれ異なる前記書き込み階調値で前記表示手段に表示させてもよい。この場合、ユーザ毎に異なる値に第二ビットを設定されているため、ユーザ毎に、書き込んだ文字等を異なる階調値で表示することができる。
【００１４】
前記表示装置は、識別されたユーザによって書き込まれたことを示す値に、前記第二ビットが設定されている前記書き込みピクセルのうち、特定のユーザによって書き込まれたことを示す値に、前記第二ビットが設定されている前記書き込みピクセルを、ユーザの指示に従って選択する選択手段を備え、前記画像ピクセルを前記書き込み階調値とは異なる階調値で前記表示手段に表示させると共に、前記選択手段によって選択された前記書き込みピクセルを前記書き込み階調値で前記表示手段に表示させる第二表示制御手段とを備えてもよい。この場合、ユーザが選択した特定のユーザによって書き込まれた表示と、画像とを異なる階調値で表示することができるため、ユーザは特定のユーザが書き込んだ文字等を視認し易くなる。
【００１５】
前記表示装置は、前記画像ピクセルと前記書き込みピクセルとを異なる階調値で前記表示手段に表示させるか否かについてのユーザの指示を検出する表示指示検出手段を備え、前記第一表示制御手段は、前記表示指示検出手段によって前記画像ピクセルと前記書き込みピクセルとを異なる階調値で前記表示手段に表示する指示が検出された場合、且つ、前記入力取得手段によって前記書き込み入力データが取得されたことが、前記入力検出手段によって検出された場合に、前記画像ピクセルを前記書き込み階調値とは異なる階調値で前記表示手段に表示させると共に、前記書き込みピクセルを前記書き込み階調値で前記表示手段に表示させ、前記表示指示検出手段によって前記画像ピクセルと前記書き込みピクセルとを異なる階調値で前記表示手段に表示させない指示が検出された場合、且つ、前記入力取得手段によって前記書き込み入力データが取得されたことが、前記入力検出手段によって検出された場合に、前記画像ピクセルを前記画像階調値で前記表示手段に表示させると共に、前記書き込みピクセルを前記書き込み階調値で前記表示手段に表示させてもよい。この場合、ユーザに、画像ピクセルと書き込みピクセルとを異なる階調値で表示するか否かを選択させることができる。
【００１６】
前記表示装置において、前記第一表示制御手段は、前記入力取得手段によって前記書き込み入力データが取得されたことが、前記入力検出手段によって検出された場合に、前記画像ピクセルのうち、前記書き込みピクセルから所定の範囲の前記画像ピクセルを前記書き込み階調値とは異なる階調値で前記表示手段に表示させると共に、前記書き込みピクセルを前記書き込み階調値で前記表示手段に表示させてもよい。この場合、書き込みピクセルの周囲の画像ピクセルの階調値を変更して、ユーザが書き込んだ表示を視認し易くすることができる。また、書き込みピクセルから所定の範囲以外のピクセルの階調値は、変更されないため、書き込みされた範囲をユーザが認識しやすくなる。
【００１７】
本発明の第２の態様に係る表示制御プログラムは、ピクセル毎に単色を複数の階調値で表示して、記憶手段に記憶された画像データに基づく画像を表示可能な表示手段を備えた表示装置において実行される表示制御プログラムであって、前記表示装置のＣＰＵに、前記表示手段に表示された前記画像に対してユーザによって入力される書き込み入力に対応する書き込み入力データを取得する入力取得ステップと、前記入力取得ステップによって前記書き込み入力データが取得されたことを検出する入力検出ステップと、前記入力取得ステップによって前記書き込み入力データが取得されたことが、前記入力検出ステップによって検出された場合に、前記入力取得ステップによって取得された前記書き込み入力データに基づく前記書き込み入力に対応するピクセルである書き込みピクセル以外の前記画像のピクセルである画像ピクセルを、予め設定された前記画像ピクセルの階調値である画像階調値とは異なる階調値で前記表示手段に表示させると共に、前記書き込みピクセルを予め設定された所定の階調値である書き込み階調値で前記表示手段に表示させる第一表示制御ステップとを実行させる。
【００１８】
この場合、画像ピクセルの階調値が所定の階調値とは異なる階調値になるように調整されて表示されると共に、書き込みピクセルが表示される。画像の階調値を調整することが可能なので、ユーザが書き込んだ文字等を、視認し易く表示することできる。このため、ユーザは、文字等が視認し易い状態で、書き込み入力をすることができる。
【図面の簡単な説明】
【００１９】
【図１】表示装置１の物理的構成を示す正面図である。
【図２】ディスプレイ２２に表示される画像の一例を説明するための表示装置１の正面図である。
【図３】表示装置１の電気的構成を示すブロック図である。
【図４】第一階調値データテーブル５１を示す模式図である。
【図５】第二階調値データテーブル５２を示す模式図である。
【図６】第三階調値データテーブル５３を示す模式図である。
【図７】メイン処理を示すフローチャートである。
【図８】例示画像データテーブル５４を示す模式図である。
【図９】例示画像データテーブル５４を示す模式図である。
【図１０】ディスプレイ２２に表示される画像の一例を説明するための表示装置１の正面図である。
【図１１】ディスプレイ２２に表示される画像の一例を説明するための表示装置１の正面図である。
【図１２】ディスプレイ２２に表示される画像の一例を説明するための表示装置１の正面図である。
【図１３】第二階調値データテーブル５２を示す模式図である。
【図１４】ディスプレイ２２に表示される画像の一例を説明するための表示装置１の正面図である。
【図１５】第二階調値データテーブル５２を示す模式図である。
【図１６】例示画像データテーブル５４を示す模式図である。
【図１７】ディスプレイ２２に表示される画像の一例を説明するための表示装置１の正面図である。
【図１８】選択処理を示すフローチャートである。
【図１９】ディスプレイ２２に表示される画像の一例を説明するための表示装置１の正面図である。
【発明を実施するための形態】
【００２０】
以下、本発明に係る表示装置及び制御プログラムを具現化した表示装置１について、図面を参照して説明する。なおこれらの図面は、本発明が採用しうる技術的特徴を説明するために用いられるものであり、記載されている表示装置の構成、各種処理のフローチャートなどは、それのみに限定する趣旨ではなく、単なる説明例である。
【００２１】
図１および図２を参照し、表示装置１の概要について説明する。表示装置１は、正面視略長方形状を有している。表示装置１は、略長方形状のディスプレイ２２を正面側に備えている。ディスプレイ２２は、不揮発性の表示素子から構成されている。不揮発性の表示素子は、表示中の像を書き換える場合にのみ電力を必要とし、電力の供給が断たれても表示中の像を保持することが可能であるという特性を有している。ディスプレイ２２としては、従来周知の様々な不揮発性の表示素子が使用可能である。例えば、マイクロカプセル方式や電気泳動式等の不揮発性の表示素子が使用可能である。
【００２２】
ディスプレイ２２は、ピクセル毎に単色を複数の階調値で表示して、画像を表示することが可能である。例えば、図２におけるディスプレイ２２には、後述する例示画像が表示されている。本実施形態では、ピクセル毎に黒色単色で４つの階調値を表示することができるとする。つまり、ディスプレイ２２の階調数は４である。詳細には、ディスプレイ２２は、最も黒色の濃度が高い第一階調値、第一階調値より黒色の濃度が低い第二階調値、第二階調値より黒色の濃度が低い第三階調値、および黒色を表示しない階調値である第四階調値を表示することができる。なお、黒色を表示しない第四階調値である場合には、ディスプレイ２２は白色になる。なお、図２等において、第一階調値で表示される領域は、黒色で塗り潰して表わし、第二階調値で表示される領域は、格子状の模様で表している。また、第三階調値で表示される領域は左右方向の点線で表し、第四階調値で表示される領域は、白色（図２等の紙面の色）で表している。
【００２３】
ユーザは、ディスプレイ２２に表示される画像に対して、後述する入力部３４やタッチパネル３６を使用して、種々の書き込み入力をすることができる。ユーザによって入力される書き込み入力に対応する書き込み入力データは、Ｓ１０５の処理（図７参照、後述）において取得される。以下の説明では、Ｓ１０５の処理（図７参照、後述）において取得された書き込み入力データに基づく書き込み入力に対応するピクセルを「書き込みピクセル」という。また、書き込みピクセル以外の、画像データに基づく画像のピクセルを、「画像ピクセル」という。また、書き込みピクセルがディスプレイ２２に表示される場合の階調値を「書き込み階調値」という。また、ユーザによる書き込み入力によって、ディスプレイ２２に表示される文字等を「書き込み表示」という。
【００２４】
表示装置１は、ディスプレイ２２の右側に、上下方向に一列に並んだ複数の選択ボタン１５を備えている。選択ボタン１５は、ディスプレイ２２のうち選択ボタン１５の左側部分に表示される選択メニューのうちいずれかを選択する場合に使用される。
【００２５】
表示装置１は、選択ボタン１５の右側に、電源スイッチ３３と設定ボタン１３と操作ボタン１４とを備えている。上から順に、電源スイッチ３３、設定ボタン１３、操作ボタン１４の順で並んでいる。電源スイッチ３３は、表示装置１の電源のオン・オフを切り替える場合に、ユーザによって押下される。設定ボタン１３と操作ボタン１４とは、ディスプレイ２２上に表示される画像に対する設定や操作等を行う場合に、ユーザによって押下される。
【００２６】
表示装置１は、内部に電池３１（図３参照）を備えている。表示装置１は、電池３１を電源として動作する。電池３１としては、例えば、従来周知のリチウムイオン電池やニッケル水素電池等が使用可能である。
【００２７】
次に、図３を参照し、表示装置１の電気的構成について説明する。表示装置１は、ＣＰＵ２１とＲＯＭ２４とＲＡＭ２５とフラッシュメモリ２７を備えている。ＣＰＵ２１は、ディスプレイ２２の表示制御等を司る。ＣＰＵ２１は、ＲＯＭ２４とＲＡＭ２５とフラッシュメモリ２７とに電気的に接続され、記憶領域にアクセスできる。ＲＯＭ２４は、プログラム記憶領域２４１を少なくとも備えている。プログラム記憶領域２４１には、ＣＰＵ２１が各種の処理等を実行するために必要なプログラムデータが記憶されている。
【００２８】
ＲＡＭ２５は、第一モード設定記憶領域２５１と第二モード設定記憶領域２５２とを少なくとも備えている。第一モード設定記憶領域２５１には、階調値調整モードに設定されているか否かを示すデータが記憶される。第二モード設定記憶領域２５２には、範囲モードに設定されているか否かを示すデータが記憶される。
【００２９】
階調値調整モードは、ユーザが書き込んだ文字等を視認し易いように表示するために、画像の階調値を調整するモードである。ユーザは入力部３４またはタッチパネル３６を介して、階調値調整モードに設定するか否かの指示を表示装置１に入力する。ユーザによって階調値調整モードに設定する指示が入力されている場合、第一モード設定記憶領域２５１には、階調値調整モードが設定されていることを示すデータが記憶される。ユーザによって階調値調整モードに設定する指示が入力されていない場合、第一モード設定記憶領域２５１には、階調値調整モードが設定されていないことを示すデータが記憶される。
【００３０】
範囲モードは、書き込みピクセルから所定数の範囲の画像ピクセルを、書き込みピクセルとは異なる階調値でディスプレイ２２に表示させるモードである。ユーザは、入力部３４またはタッチパネル３６を介して、範囲モードに設定するか否かの指示を表示装置１に入力する。ユーザによって範囲モードを設定する指示が入力されている場合、第二モード設定記憶領域２５２には、範囲モードが設定されていることを示すデータが記憶される。ユーザによって範囲モードを設定する指示が入力されていない場合、第二モード設定記憶領域２５２には、範囲モードが設定されていないことを示すデータが記憶される。
【００３１】
フラッシュメモリ２７は、画像データ記憶領域２７１と第一階調値データテーブル記憶領域２７２と第二階調値データテーブル記憶領域２７３と第三階調値データテーブル記憶領域２７４とを少なくとも備えている。画像データ記憶領域２７１には、ディスプレイ２２に表示される画像の画像データが記憶されている。第一階調値データテーブル記憶領域２７２には、後述する第一階調値データテーブル５１が記憶されている。第二階調値データテーブル記憶領域２７３には、後述する第二階調値データテーブル５２が記憶されている。第三階調値データテーブル記憶領域２７４には、後述する第三階調値データテーブル５３が記憶されている。
【００３２】
表示装置１は、メモリカードスロット２６を備えている。メモリカードスロット２６には、メモリカード３５が挿入される。メモリカード３５は、画像データ記憶領域３５１を少なくとも備えている。画像データ記憶領域３５１には、ディスプレイ２２に表示される画像の画像データが記憶されている。ＣＰＵ２１はメモリカードスロット２６を介してメモリカード３５と電気的に接続する。ＣＰＵ２１は、メモリカード３５の記憶領域にアクセスできる。
【００３３】
表示装置１は、ディスプレイ２２と表示制御部２３とを備えている。表示制御部２３は、ディスプレイ２２の駆動制御を行う。ＣＰＵ２１は表示制御部２３と電気的に接続されている。表示制御部２３はディスプレイ２２と電気的に接続されている。ＣＰＵ２１は、表示制御部２３を介してディスプレイ２２に所望の画像を表示させることができる。
【００３４】
表示装置１は、電源スイッチ３３を備えている。ＣＰＵ２１は電源スイッチ３３と電気的に接続されている。ＣＰＵ２１は、ユーザによって電源スイッチ３３が押下されたことを検出できる。表示装置１は、選択ボタン１５と設定ボタン１３と操作ボタン１４と（以下、これらを総称して「入力部３４」という。）を備えている。ＣＰＵ２１は入力部３４と電気的に接続されている。ＣＰＵ２１は、ユーザによって入力部３４が操作されたことを検出できる。
【００３５】
表示装置１は、ディスプレイ２２の前面に透明なタッチパネル３６を備えている。ＣＰＵ２１は、タッチパネル３６と電気的に接続されている。ユーザは、指または入力用のタッチペンで、タッチパネル３６に触れることによって、ディスプレイ２２の表示された画像に対して書き込み入力をしたり、種々の指示の入力をしたりすることができる。
【００３６】
表示装置１は、電池３１と電源制御部３０とを備えている。ＣＰＵ２１は、電源制御部３０と電気的に接続されている。電池３１は電源制御部３０と電気的に接続されている。ＣＰＵ２１やその他のデバイスは、電池３１から電源制御部３０を介して供給される電力によって駆動する。なお、図示しないが、表示装置１には、ＵＳＢ（Ｕｎｉｖｅｒｓａｌ  Ｓｅｒｉａｌ  Ｂｕｓ）ケーブルが接続されるＵＳＢコネクタとＡＣアダプタが接続されるＡＣコネクタが設けられている。また、電池３１の充電を行う充電回路が設けられている。充電回路は、ＵＳＢコネクタ又はＡＣコネクタから供給される電流により、電池３１を充電することができる。
【００３７】
次に、図４の第一階調値データテーブル５１を参照して、画像データにおけるピクセルの階調値について説明する。第一階調値データテーブル５１は、第一階調値データテーブル記憶領域２７２に記憶されている。第一階調値データテーブル５１は、画像データに含まれる各ピクセルのデータ（以下、「ピクセルデータ」という。）の第一ビット７と第二ビット８との設定に基づいて、ピクセルの階調値を決定してディスプレイ２２に表示するためのデータテーブルである。第一階調値データテーブル５１は、Ｓ１０４の処理（図７参照）および階調値調整モードに設定されていない場合に実行されるＳ１１１の処理（図７参照、後述）において参照される。第一階調値データテーブル５１を参照して画像を表示する場合とは、階調値を調整することなく、予め定められた所定の階調値で画像をディスプレイ２２に表示する場合である。
【００３８】
図４に示すように、画像データ記憶領域２７１，３５１に記憶されている画像データにおける各ピクセルデータは、画像のピクセル毎の階調値を表す第一ビット７と、第一ビット７に対応付けられる第二ビット８とを含んでいる。
【００３９】
第一ビット７は、２つのビット７１，７２で構成されている。第二ビット８は２つのビット８１，８２で構成されている。各ビット７１，７２，８１，８２には、「１」または「０」のデータが設定される。なお、第二ビットが２つのビット８１，８２であるのは例示であり、ビットの数は限定されない。例えば、第二ビットが１つのビットでもよいし、２以上の複数のビットであってもよい。また、第一ビットが２つのビット７１，７２であるのは例示であり、ビットの数は限定されず、例えば、２以上の複数のビットであってもよい。
【００４０】
図４に示すように、第一ビット７のビット７１，７２、および第二ビット８のビット８１，８２の値が「１１００」（つまり、ビット７１が「１」、ビット７２が「１」、ビット８１が「０」、ビット８２が「０」。以下同様）である画像ピクセルは、第一階調値に対応付けられている。同様に、ビット７１，７２，８１，８２の値が「１０００」である画像ピクセルは、第二階調値に対応付けられ、ビット７１，７２，８１，８２の値が「０１００」である画像ピクセルは、第三階調値に対応付けられている。ビット７１，７２、８１，８２の値が「００００」である画像ピクセルは、第四階調値に対応付けられている。画像ピクセルの第二ビット８のビット８１，８２はすべて「００」である。つまり、画像ピクセルの階調値は、第一ビット７の値によって決定されている。
【００４１】
ユーザによって画像に対して書き込み入力が行われた場合、Ｓ１０９の処理（図７参照、後述）において、第二ビット８が所定の値に設定される。つまり、書き込み入力が行われれば、第二ビット８のビット８１，８２が「１１」（つまり、ビット８１が「１」、ビット８２が「１」。以下同様）、「１０」、「０１」のいずれかに設定される。詳細には、書き込み入力が行われた場合、第二ビット８のビット８１，８２は、それぞれ、Ｓ１０２の処理（図７参照、後述）で識別されるユーザ毎に割り当てられて「１」に設定される（図７のＳ１０９、後述）。例えば、ユーザ「Ｍｉｋｅ」が書き込み入力を行ったピクセルでは、ビット８１が「１」に設定され、ユーザ「Ｊａｎｅ」が書き込み入力を行ったピクセルでは、ビット８２が「１」に設定される。言い換えると、第二ビット８は、Ｓ１０２の処理（図７参照）において識別されたユーザによって書き込まれたことを示す値に設定される。このため、第二ビット８の値を参照することで、書き込み入力を行ったユーザを特定することができる。
【００４２】
図４に示すように、書き込みピクセルは、第一階調値に対応付けられている。つまり、第一ビット７の値に関わらず、第二ビット８のビット８１，８２が示す値が「１１」、「１０」、「０１」である場合、ピクセルは第一階調値で表示される。なお、書き込みピクセルの階調値は、第一ビット７の値に影響されないため、図４において、ビット７１，７２は空欄で示している。また、書き込みピクセルに対応付けられている第一階調値が、書き込み階調値である。
【００４３】
次に、図５を参照して、第二階調値データテーブル５２について説明する。第二階調値データテーブル５２は、階調値調整モードが設定されおり、範囲モードが設定されていない場合に、後述するＳ１１３の処理（図７参照）において参照される。
【００４４】
図５に示すように、ビット７１，７２，８１，８２の値が「１１００」である画像ピクセルは、第一階調値データテーブル５１（図４参照）の場合と異なり、第二階調値に対応付けられている。また、他の画像ピクセルと書き込みピクセルは、第一階調値データテーブル５１（図４参照）と同じ階調値に対応付けられている。この結果、すべての画像ピクセルは、書き込み階調値である第一階調値とは異なる階調値に対応付けられている。このため、第二階調値データテーブル５２を参照して画像を表示した場合、画像ピクセルを書き込み階調値とは異なる階調値でディスプレイ２２に表示すると共に、書き込みピクセルを書き込み階調値でディスプレイ２２に表示することができる。これによって、ユーザが書き込んだ文字等を視認し易いように表示することができる。詳細については、後述する。
【００４５】
次に、図６を参照して、第三階調値データテーブル５３について説明する。第三階調値データテーブル５３は、階調値調整モードが設定されており、範囲モードが設定されている場合に、後述するＳ１１４の処理（図７参照）において参照される。
【００４６】
図６に示すように、ビット７１，７２，８１，８２の値が「１１００」である画像ピクセルのうち、書き込みピクセルから所定数の範囲の画像ピクセルは第二階調値に対応付けられ、書き込みピクセルから所定数の範囲以外の画像ピクセルは、第一階調値に対応付けられている。また、他の画像ピクセルと書き込みピクセルとは、第一階調値データテーブル５１（図４参照）と同じ階調値に対応付けられている。このため、第三階調値データテーブル５３を参照して画像を表示した場合、書き込みピクセルから所定数の範囲の画像ピクセルを書き込み階調値とは異なる階調値でディスプレイ２２に表示すると共に、書き込みピクセルを書き込み階調値でディスプレイ２２に表示することができる。これによって、ユーザが書き込んだ文字等を視認し易いように表示することができる。詳細については、後述する。
【００４７】
次に、具体例を示しながら、図７に示すフローチャートを参照して、本実施形態のＣＰＵ２１によるメイン処理について説明する。メイン処理は、表示装置１の電源がオンされることを契機に開始される。
【００４８】
図７に示すように、本実施形態のＣＰＵ２１によるメイン処理では、まず、ユーザＩＤの入力画像がディスプレイ２２に表示される（Ｓ１０１）。次いで、ユーザによって、ユーザＩＤが入力されたか否かが判断される（Ｓ１０２）。ＣＰＵ２１は、Ｓ１０２の処理において、ユーザＩＤを取得して、取得したユーザＩＤに基づいて表示装置１を操作するユーザを識別することができる。なお、ユーザは、入力部３４またはタッチパネル３６を使用して、Ｓ１０１の処理で表示された入力画面にユーザＩＤを入力する。ユーザＩＤが入力されていない場合には（Ｓ１０２：ＮＯ）、Ｓ１０２に戻り、処理が繰り返される。ユーザＩＤが入力された場合には（Ｓ１０２：ＹＥＳ）、ユーザによって、入力部３４またはタッチパネル３６を介して、画像の表示の指示が入力されたか否かが判断される（Ｓ１０３）。なお、ユーザは、ディスプレイ２２に表示させる画像を選択することで、画像の表示の指示を入力する。
【００４９】
画像の表示の指示が入力されていない場合には（Ｓ１０３：ＮＯ）、Ｓ１０３に戻り、処理が繰り返される。画像の表示の指示が入力された場合には（Ｓ１０３：ＹＥＳ）、画像データ記憶領域２７１または画像データ記憶領域３５１に記憶されている画像データに基づく画像がディスプレイ２２に表示される（Ｓ１０４）。このとき、画像データと、第一階調値データテーブル５１とが参照されて、画像がディスプレイ２２に表示される。次に、Ｓ１０５の処理が行われる。
【００５０】
例えば、ユーザ「Ｍｉｋｅ」が、書き込み入力を行う場合について述べる。画像データ記憶領域２７１に記憶されている画像データは、図８に示す例示画像データテーブル５４のデータを含んでいるとする。また、図８に示す例示画像データテーブル５４のデータを含む画像データを、例示画像データといい、例示画像データに基づいて表示される画像を例示画像という。以下、この例示を「第一具体例」という、図８において、領域２２１は、ディスプレイ２２の左上部の領域であり、領域２２２は、ディスプレイ２２の右上部の領域である（図２参照）。領域２２３は、ディスプレイ２２の左下部の領域であり、領域２２４は、ディスプレイ２２の右下部の領域である（図２参照）。
【００５１】
図８に示すように、例示画像データテーブル５４において、領域２２１に存在するピクセルのビット７１，７２，８１，８２は「１１００」であり、領域２２２に存在するピクセルのビット７１，７２，８１，８２は「１０００」である。領域２２３に存在するピクセルのビット７１，７２，８１，８２は、「０１００」であり、領域２２４に存在するピクセルのビット７１，７２，８１，８２は「００００」である。
【００５２】
第一具体例において、ユーザ「Ｍｉｋｅ」は、ユーザＩＤ「Ｍｉｋｅ」を入力する。ユーザＩＤが入力され（Ｓ１０２：ＹＥＳ）、例示画像データに基づく例示画像の表示の指示が入力されると（Ｓ１０３：ＹＥＳ）、例示画像データと第一階調値データテーブル５１とに基づいて、図２に示す例示画像がディスプレイ２２に表示される（Ｓ１０４）。
【００５３】
例示画像データテーブル５４（図８参照）において、領域２２１のビット７１，７２，８１，８２は、「１１００」である。そして、第一階調値データテーブル５１（図４参照）において、「１１００」は、第一階調値に対応付けられている。このため、Ｓ１０３の処理では、図２に示すように、領域２２１が、第一階調値で表示される。同様に、領域２２２は第二階調値で表示され、領域２２３は第三階調値で表示され、領域２２４は第四階調値で表示される。次いで、Ｓ１０５の処理が行われる。
【００５４】
Ｓ１０５の処理では、ディスプレイ２２に表示された画像に対してユーザによって入力される書き込み入力に対応する書き込み入力データが取得される（Ｓ１０５）。なお、ユーザは、入力部３４またはタッチパネル３６を使用して書き込み入力を行う。次いで、Ｓ１０５の処理において書き込み入力データが取得されたか否かが判断される（Ｓ１０６）。これによって、Ｓ１０５の処理において書き込み入力データが取得されたことが検出される。ユーザが書き込み入力を行っておらず、書き込み入力データが取得されていないと判断された場合には（Ｓ１０６：ＮＯ）、ユーザによって、過去にユーザが書き込んだ書き込み表示をディスプレイ２２に表示する指示（以下、「書き込み表示指示」という。）が入力されたか否かが判断される。書き込み表示指示が入力されていない場合には（Ｓ１０７：ＮＯ）、Ｓ１０５に戻り、処理が繰り返される。
【００５５】
ユーザが書き込み入力を行い、Ｓ１０６の処理において、書き込み入力データが取得されたと判断された場合には（Ｓ１０６：ＹＥＳ）、Ｓ１０５の処理において取得された書き込み入力データに基づいて、書き込みピクセルが特定される（Ｓ１０８）。
【００５６】
次いで、画像データ記憶領域２７１，３５１に記憶されている画像データにおいて、Ｓ１０８の処理で特定された書き込みピクセルの第二ビット８が、Ｓ１０２の処理において識別されたユーザによって書き込まれたことを示す値に設定される（Ｓ１０９）。Ｓ１０９の処理では、第二ビット８のビット８１，８２のうちの一のビットが「１」に設定される。詳細には、第二ビット８のビット８１，８２は、それぞれ、Ｓ１０２の処理で識別されたユーザ毎に割り当てられて「１」に設定される。
【００５７】
次いで、第一モード設定記憶領域２５１が参照され、階調値調整モードの設定がされているか否かが判断される（Ｓ１１０）。なお、Ｓ１０７の処理において、書き込み表示指示が入力されたと判断された場合にも（Ｓ１０７：ＹＥＳ）、Ｓ１１０の処理が行われる。階調値調整モードの設定がされていない場合には（Ｓ１１０：ＮＯ）、画像データと第一階調値データテーブル５１とが参照されて、画像と書き込み表示とがディスプレイ２２に表示される（Ｓ１１１）。次いで、Ｓ１０５に戻り、処理が繰り返される。
【００５８】
例えば、第一具体例の場合、ユーザ「Ｍｉｋｅ」が、タッチパネル３６を介して、領域２２１に、文字「Ｃ」を書き込み、領域２２２に文字「Ｄ」を書き込むとする。また、領域２２３に文字「Ｅ」を書き込み、領域２２４に文字「Ｆ」を書き込むとする。文字を記載する順序は、「Ｃ」「Ｄ」「Ｅ」「Ｆ」の順であるとする。以下、文字「Ｃ」、文字「Ｄ」、文字「Ｅ」、文字「Ｆ」を、単に「Ｃ」、「Ｄ」、「Ｅ」、「Ｆ」と表わす。また、ユーザ「Ｍｉｋｅ」は、階調値調整モードを設定していないとする。
【００５９】
この場合、ユーザ「Ｍｉｋｅ」が領域２２１に「Ｃ」を書き込み始めると、表示装置１のＣＰＵ２１によって、書き込み入力データが取得され（Ｓ１０５）、書き込み入力データが取得されたと判断される（Ｓ１０６：ＹＥＳ）。そして、書き込みピクセルが特定され（Ｓ１０８）、領域２２１の書き込みピクセルの第二ビット８の値が設定される（Ｓ１０９）。Ｓ１０９の処理では、第二ビット８のビット８１が、Ｓ１０２の処理で識別されたユーザ「Ｍｉｋｅ」に割り当てられて「１」に設定されるとする。これによって、第二ビット８が、Ｓ１０２の処理において識別されたユーザ「Ｍｉｋｅ」によって書き込まれたことを示す値に設定される。
【００６０】
そして、階調値調整モードの設定ではないと判断され（Ｓ１１０：ＮＯ）、画像データと第一階調値データテーブル５１とが参照されて、画像と書き込み表示とがディスプレイ２２に表示される（Ｓ１１１）。そして、ユーザ「Ｍｉｋｅ」が「Ｃ」「Ｄ」「Ｅ」「Ｆ」の書き込み入力を継続すると、Ｓ１０６、Ｓ１０８〜Ｓ１１１の処理が繰り返されて、ユーザ「Ｍｉｋｅ」による書き込み表示が逐次ディスプレイ２２に表示される。
【００６１】
ユーザ「Ｍｉｋｅ」が「Ｃ」「Ｄ」「Ｅ」「Ｆ」をすべて書き込んだ場合、Ｓ１０９の処理によって、例示画像データテーブル５４は図９に示すように設定される。領域２２１のビット７１，７２，８１，８２は「１１００」であるため、ユーザ「Ｍｉｋｅ」によって領域２２１に「Ｃ」が書き込まれると、「Ｃ」に対応する書き込みピクセルは、「１１１０」となる。つまり、ビット８１が「１」に設定される。同様に、「Ｄ」に対応する書き込みピクセルは「１０１０」となり、「Ｅ」に対応する書き込みピクセルは「０１１０」となり、「Ｆ」に対応する書き込みピクセルは「００１０」となる。
【００６２】
そして、Ｓ１１１の処理によって逐次ディスプレイ２２に表示され、「Ｃ」「Ｄ」「Ｅ」「Ｆ」がすべて書き込まれた場合、ディスプレイ２２に表示される例示画像は、図１０に示す画像となる。例示画像データテーブル５４（図９参照）において、「Ｃ」に対応する書き込みピクセルのビット７１，７２，８１，８２は、「１１１０」である。そして、第一階調値データテーブル５１（図４参照）において、「１１１０」は、第一階調値に対応付けられている。このため、Ｓ２０９の処理では、「Ｃ」は第一階調値で表示される。しかし、領域２２１の階調値も第一階調値であるため、図１０において、領域２２１と「Ｃ」とが重なってしまい、「Ｃ」が視認できない状態となっている。
【００６３】
同様に、「Ｄ」「Ｅ」「Ｆ」は、すべて第一階調値で表示される。領域２２２，２２３，２２４の階調値は、それぞれ、書き込み階調値とは異なる第二階調値、第三階調値、第四階調値で表示される。このため、図１０に示すように、「Ｄ」「Ｅ」「Ｆ」は、視認可能な状態となっている。
【００６４】
図７のＳ１１０の処理において、階調値調整モードの設定であると判断された場合には（Ｓ１１０：ＹＥＳ）、第二モード設定記憶領域２５２が参照され、範囲モードに設定されているか否かが判断される（Ｓ１１２）。範囲モードに設定されていない場合には（Ｓ１１２：ＮＯ）、画像データと第二階調値データテーブル５２とが参照されて、画像と書き込み表示とがディスプレイ２２に表示される（Ｓ１１３）。次いで、Ｓ１０５に戻り、処理が繰り返される。
【００６５】
例えば、ユーザ「Ｍｉｋｅ」は、階調値調整モードを設定しており、範囲モードを設定していないとする。その他の条件は、第一具体例の場合と同様であるとする。以下、この例示を第二具体例という。第二具体例の場合、Ｓ１１０の処理において、階調値調整モードに設定されていると判断され（Ｓ１１０：ＹＥＳ）、範囲モードに設定されていないと判断され（Ｓ１１２：ＮＯ）、Ｓ１１３の処理において、画像と書き込み表示とがディスプレイ２２に表示される。
【００６６】
第一具体例の場合と同様に、第二具体例では、ユーザ「Ｍｉｋｅ」が「Ｃ」「Ｄ」「Ｅ」「Ｆ」を書き込むと、図９に示す例示画像データテーブル５４のように設定される（Ｓ１０９）。そして、Ｓ１１３の処理によって、「Ｃ」「Ｄ」「Ｅ」「Ｆ」が逐次ディスプレイ２２に表示される。「Ｃ」「Ｄ」「Ｅ」「Ｆ」がすべて書き込まれた場合、ディスプレイ２２に表示される例示画像は、図１１に示す画像となる。
【００６７】
例示画像データテーブル５４（図９参照）において、領域２２１のビット７１，７２，８１，８２は「１１００」である。そして、第二階調値データテーブル５２（図５参照）において、「１１００」は、第二階調値に対応付けられている。このため、Ｓ１１３の処理では、領域２２１の画像ピクセルは第二階調値で表示される（図１１参照）。
【００６８】
また、例示画像データテーブル５４（図９参照）において、「Ｃ」に対応する書き込みピクセルのビット７１，７２，８１，８２は、「１１１０」である。そして、第二階調値データテーブル５２（図５参照）において、「１１１０」は、第一階調値に対応付けられている。このため、Ｓ１１３の処理では、「Ｃ」に対応する書き込みピクセルは第一階調値で表示される（図１１参照）。同様に、「Ｄ」「Ｅ」「Ｆ」に対応する書き込みピクセルは、すべて第一階調値で表示される。領域２２２，２２３，２２４の画像ピクセルは、それぞれ、書き込み階調値とは異なる第二階調値、第三階調値、第四階調値で表示される。
【００６９】
以上、第二具体例の場合、画像ピクセルを、書き込み階調値である第一階調値とは異なる階調値でディスプレイ２２に表示すると共に、「Ｃ」「Ｄ」「Ｅ」「Ｆ」に対応する書き込みピクセルを書き込み階調値である第一階調値で、ディスプレイ２２に表示することができる。画像ピクセルと書き込みピクセルとの階調値が異なるので、図１０の「Ｃ」の場合と異なり、ユーザが書き込んだ文字を視認し易いように表示することができる。また、ユーザ「Ｍｉｋｅ」は、書き込んだ文字等を視認し易い状態で、「Ｃ」「Ｄ」「Ｅ」「Ｆ」を逐次書き込むことができる。
【００７０】
図７に示すように、Ｓ１１２の処理において、範囲モードに設定されていると判断された場合には（Ｓ１１２：ＹＥＳ）、画像データと第三階調値データテーブル５３（図６参照）とが参照されて、画像と書き込み表示とがディスプレイ２２に表示される（Ｓ１１４）。次いで、Ｓ１０５に戻り、処理が繰り返される。
【００７１】
例えば、ユーザ「Ｍｉｋｅ」は、階調値調整モードを設定しており、範囲モードを設定しているとする。その他の条件は、第一具体例の場合と同様であるとする。以下、この例示を第三具体例という。第三具体例の場合、階調値調整モードに設定されていると判断され（Ｓ１１０：ＹＥＳ）、範囲モードに設定されていると判断され（Ｓ１１２：ＹＥＳ）、Ｓ１１４の処理において、画像と書き込み表示とがディスプレイ２２に表示される。
【００７２】
第三具体例では、第一、第二具体例の場合と同様に、ユーザ「Ｍｉｋｅ」が「Ｃ」「Ｄ」「Ｅ」「Ｆ」を書き込むと、図９に示す例示画像データテーブル５４のように設定される（Ｓ１０９）。そして、Ｓ１１４の処理によって、「Ｃ」「Ｄ」「Ｅ」「Ｆ」が逐次ディスプレイ２２に表示される。「Ｃ」「Ｄ」「Ｅ」「Ｆ」がすべて書き込まれた場合、ディスプレイ２２に表示されている例示画像は、図１２に示す画像となる。
【００７３】
例示画像データテーブル５４（図９参照）において、領域２２１のビット７１，７２，８１，８２は、「１１００」である。そして、第三階調値データテーブル５３（図６参照）において、書き込みピクセルから所定数の範囲の、ビット７１，７２，８１，８２が「１１００」である画像ピクセルは、第二階調値に対応付けられている。また、書き込みピクセルから所定数の範囲以外の、ビット７１，７２，８１，８２が「１１００」である画像ピクセルは、第一階調値に対応付けられている。第三具体例の場合、所定数は、１０ピクセルであるとする。また、例示画像データテーブル５４（図９参照）において、「Ｃ」に対応する書き込みピクセルのビット７１，７２，８１，８２は、「１１１０」に対応付けられている。そして、第三階調値データテーブル５３において、「１１１０」は、第一階調値に対応付けられている。
【００７４】
このため、Ｓ１１４の処理では、「Ｃ」が第一階調値で表示され、領域２２１における「Ｃ」から１０ピクセルの範囲の画像ピクセルは、第二階調値で表示され、「Ｃ」から１０ピクセルの範囲以外の画像ピクセルは第一階調値で表示される（図１２参照）。同様に「Ｄ」「Ｅ」「Ｆ」はすべて第一階調値で表示される。領域２２２，２２３，２２４の階調値は、それぞれ、書き込み階調値とは異なる第二階調値、第三階調値、第四階調値で表示される。
【００７５】
以上、第三具体例の場合、画像ピクセルのうち、「Ｃ」に対応する書き込みピクセルから１０ピクセルの範囲の画像ピクセルを書き込み階調値である第一階調値とは異なる階調値でディスプレイ２２に表示すると共に、「Ｃ」「Ｄ」「Ｅ」「Ｆ」に対応する書き込みピクセルを書き込み階調値である第一階調値でディスプレイ２２に表示することができる。「Ｃ」に対応する書き込みピクセルと、「Ｃ」の周囲の画像ピクセルとの階調値が異なるので、図１０の「Ｃ」の場合と異なり、ユーザが書き込んだ文字等が視認し易いように、表示することができる。また、「Ｃ」に対応する書き込みピクセルから所定数の範囲以外の画像ピクセルの階調値は、図２の階調値と変更されないため、ユーザによって書き込み入力が行われた範囲をユーザが認識し易くなる。また、広い範囲の画像ピクセルの階調値を、図２と同じ階調値のまま表示することができる。また、ユーザ「Ｍｉｋｅ」は、書き込んだ文字等を視認し易い状態で、「Ｃ」「Ｄ」「Ｅ」「Ｆ」を逐次書き込むことができる。
【００７６】
次に、上記第一〜第三具体例において、図９に示すように、「Ｃ」「Ｄ」「Ｅ」「Ｆ」のビット７１，７２，８１，８２が設定された後、一旦表示装置１の電源をオフし、再度例示画像データに基づく例示画像をディスプレイ２２に表示させる場合について述べる。この例示を第四具体例という。
【００７７】
第四具体例の場合、Ｓ１０１〜Ｓ１０４の処理は、第一〜第三具体例の場合と同様である。そして、ユーザは書き込み入力をしていないので、書き込み入力データが取得されていないと判断される（Ｓ１０６：ＮＯ）。そして、ユーザによって、書き込み表示指示が入力された場合には（Ｓ１０７：ＹＥＳ）、階調値調整モードに設定されているか否かが判断される（Ｓ１１０）。階調値調整モードに設定されていない場合には（Ｓ１１０：ＮＯ）、例示画像データテーブル５４（図９参照）および第一階調値データテーブル５１（図４参照）が参照され、図１０に示す例示画像がディスプレイ２２に表示される。
【００７８】
また、階調値調整モードに設定されており（Ｓ１１０：ＹＥＳ）、範囲モードに設定されていない場合には（Ｓ１１２：ＮＯ）、例示画像データテーブル５４（図９参照）および第二階調値データテーブル５２（図５参照）が参照され、図１１に示す例示画像がディスプレイ２２に表示される。また、階調値調整モードに設定されており（Ｓ１１０：ＹＥＳ）、範囲モードに設定されている場合には（Ｓ１１２：ＹＥＳ）、例示画像データテーブル５４および第三階調値データテーブル５３（図６参照）が参照され、図１２に示す例示画像がディスプレイ２２に表示される。
【００７９】
以上、第四具体例の場合、ユーザは、書き込み表示指示を行うか否かを選択することによって、書き込み表示をディスプレイ２２に表示するか否かを選択することができる。
【００８０】
以上説明したように、本実施形態におけるメイン処理が行われる。本実施形態では、書き込み入力データが取得され（Ｓ１０６：ＹＥＳ）、階調値調整モードに設定されていなければ（Ｓ１１０：ＮＯ）、Ｓ１１１の処理が行われる。Ｓ１１１の処理で表示される画像は、例えば、図１０の領域２２１および「Ｃ」のように、画像ピクセルと書き込みピクセルとが同じ階調値で表示される場合がある。一方、階調値調整モードに設定されていれば（Ｓ１１０：ＹＥＳ）、Ｓ１１３またはＳ１１４の処理が行われる。Ｓ１１３またはＳ１１４の処理で表示される画像は、図１１または図１２に示すように、画像ピクセルと書き込みピクセルとが異なる階調値で表示される。つまり、ユーザは、階調値調整モードに設定するか否かを選択することによって、画像ピクセルと書き込みピクセルとを異なる階調値で表示するか否かを選択することができる。
【００８１】
また、本実施形態では、Ｓ１０２の処理において識別されたユーザによって書き込まれたことを示す値に第二ビット８を設定することができる（Ｓ１０９）。言い換えると、書き込み入力を行ったユーザ毎に異なる値に第二ビット８を設定することができる。そして、設定された第二ビット８の値に基づいて、画像ピクセルと書き込みピクセルとを異なる階調値で表示することができる（Ｓ１１３およびＳ１１４）。このため、ユーザが書き込んだ文字等を視認し易く表示することができる。よって、ユーザは、書きこんだ文字等を視認し易い状態で書き込み入力をすることができる。
【００８２】
上記実施形態において、画像データ記憶領域２７１，３５１が本発明の「記憶手段」に相当し、ディスプレイ２２が本発明の「表示手段」に相当する。図７のＳ１０５の処理を行うＣＰＵ２１が本発明の「入力取得手段」に相当し、図７のＳ１０６の処理を行うＣＰＵ２１が本発明の「入力検出手段」に相当する。第一階調値データテーブル５１（図４参照）を参照して、ディスプレイ２２に表示される画像ピクセルの階調値が、本発明の「画像階調値」に相当する。図７のＳ１１３、Ｓ１１４の処理を行うＣＰＵ２１が本発明の「第一表示制御手段」に相当し、図７のＳ１０９の処理を行うＣＰＵ２１が本発明の「ビット設定手段」に相当する。図７のＳ１０２の処理を行うＣＰＵ２１が本発明の「識別手段」に相当し、図７のＳ１１０の処理を行うＣＰＵ２１が本発明の「表示指示検出手段」に相当する。図７のＳ１０５の処理を行うＣＰＵ２１が本発明の「入力取得ステップ」に相当し、図７のＳ１０６の処理が本発明の「入力検出ステップ」に相当する。図７のＳ１１３、Ｓ１１４の処理が本発明の「第一表示制御ステップ」に相当する。
【００８３】
なお、本発明の表示装置１は、上記実施形態に限定されるものではなく、本発明の要旨を逸脱しない範囲内において種々変更を加え得ることは勿論である。例えば、４つの階調値で表示可能なディスプレイ２２を用いていたが、階調値の数は限定されない。例えば、１０の階調値で表示可能なディスプレイ２２を用いてもよい。
【００８４】
また、Ｓ１０２の処理においてユーザＩＤを取得してユーザを識別し、Ｓ１０９の処理において、取得したユーザＩＤに基づいて、第二ビット８の値を設定していたが、これに限定されない。例えば、ユーザＩＤではなく、複数の表示装置１毎にそれぞれ異なる値に設定された、表示装置１のＩＤを取得してユーザを識別し、取得した表示装置１のＩＤに基づいて第二ビット８の値を設定してもよい。このようにすれば、例えば、同一のメモリカード３５を複数の表示装置１で使用する場合など、同一の画像データに基づく画像に対して複数の表示装置１において書き込み入力が行われた場合に、書き込み入力が行われた表示装置１を識別することができる。このため、複数の表示装置１がそれぞれ異なるユーザによって使用されている場合、書き込み入力を行ったユーザを識別することができる。
【００８５】
また、例示画像は説明のために図２等に示す領域２２１，２２２，２２３，２２４に分けられているが、これに限定されない。例えば、図２等に示す例示画像よりもさらに詳細に領域が分けられていてもよい。また、領域に分けなくてもよい。例えば、画像データが文章を有する画像のデータであり、文章が最も濃く表示されるように第一階調値で設定され、書き込みピクセルも第一階調値に設定されている場合について述べる。この場合に、ユーザが書き込み入力を行い、階調値調整モードが設定されていない場合（Ｓ１１０：ＮＯ、図７参照）、Ｓ１１１の処理（図７参照）で表示される画像は、元の画像の文章と、ユーザが書き込みを行った文字等が同じ第一階調値で表示される。この結果、元の画像の文章と、ユーザが書き込みを行った文字等の双方が視認し難くなる。しかし、Ｓ１１３の処理およびＳ１１４の処理（図７参照）を行った場合、元の画像の文章の階調値が調整されて表示されるため、元の画像の文章と、ユーザが書き込みを行った文字等の双方が視認し易くなる。
【００８６】
また、Ｓ１１４の処理（図７参照）では、書き込みピクセルから所定数の範囲の画像ピクセルを書き込み階調値とは異なる階調値でディスプレイ２２に表示していた。「所定数の範囲」であることは例示であり、これに限定されず、「所定の範囲」であればよい。例えば、書き込みピクセルから所定の距離（例えば、５ｍｍ）の範囲の画像ピクセルを書き込み階調とは異なる階調でディスプレイ２２に表示してもよい。
【００８７】
また、第二ビット８は予め第一ビット７に対応付けられていたが、これに限定されない。例えば、最初は第二ビット８が第一ビット７に対応付けられておらず、Ｓ１０９の処理（図７参照）において第二ビット８の値を設定する場合に、第二ビット８を第一ビット７に新たに対応付けてもよい。
【００８８】
また、第二ビット８は画像データ記憶領域２７１，３５１に記憶されていたが、これに限定されない。例えば、第二ビット８はＲＡＭ２５に記憶し、画像データ記憶領域２７１，３５１に記憶されている画像データにおける第一ビット７に対応付けてもよい。また、画像データ記憶領域２７１，３５１に記憶されている画像データをＲＡＭ２５に記憶し、ＲＡＭ２５に記憶された第一ビット７に第二ビット８を対応付けてもよい。
【００８９】
また、Ｓ１１３の処理において、すべての画像ピクセルが書き込み階調値とは異なる階調値で表示されていた。また、Ｓ１１４の処理において、書き込みピクセルから所定数の範囲のすべての画像ピクセルが書き込み階調値とは異なる階調値で表示されていた。しかし、これに限定されない。例えば、書き込みピクセルに隣接する一部の画像ピクセルが書き込み階調値と同一の階調値であってもよい。この場合でも、他の画像ピクセルの階調値を調整して、文字等を視認し易く表示すればよい。つまり、予め設定された画像ピクセルの階調値とは異なる階調値で、画像ピクセルをディスプレイ２２に表示すると共に、書き込みピクセルを書き込み階調値でディスプレイ２２に表示させてもよい。この場合、画像ピクセルの階調値を調整することで、書き込み表示以外の画像の階調値を調整することが可能なので、ユーザが書き込んだ文字等を視認し易いように表示することができる。このため、ユーザは、文字等が視認し易い状態で書き込み入力をすることができる。
【００９０】
また、Ｓ１０９の処理では、第二ビット８がＳ１０２の処理において識別されたユーザによって書き込まれたことを示す値に設定されていたが、これに限定されない。例えば、書き込んだユーザを識別せず、Ｓ１０５の処理で書き込み入力データが取得された場合に、任意の値に第二ビット８を設定してもよい。言い換えると、Ｓ１０５の処理で取得されたことを示す値に第二ビット８を設定してもよい。このようにしても、第二ビット８の値を参照することで、ＣＰＵ２１は、画像ピクセルと書き込みピクセルとを区別することができる。このため、Ｓ１１３およびＳ１１４の処理において、画像ピクセルを書き込み階調値とは異なる階調値でディスプレイ２２に表示すると共に、Ｓ１０５の処理で取得されたことを示す値に第二ビット８が設定されている書き込みピクセルを書き込み階調値でディスプレイ２２に表示することができる。よって、ユーザが書き込んだ文字等を視認し易く表示することができる。また、ユーザは、視認し易い状態で書き込み入力を行うことができる。
【００９１】
また、書き込み階調値が第一階調値であったが、これに限定されない。例えば、書き込み階調値が第二階調値でもよい。例えば、第二階調値データテーブル５２（図５参照）を図１３に示すように変更することで、Ｓ１１３の処理における書き込み階調値を第二階調値にすることができる。
【００９２】
図１３に示す第二階調値データテーブル５２において、書き込みピクセルは、第二階調値に対応付けられている。つまり、第二階調値が書き込み階調値である。また、ビット７１，７２，８１，８２が「１１００」、「１０００」である画像ピクセルは、第一階調値に対応付けられている。その他の画像ピクセルの階調値は、図５の場合と同じ階調値に対応付けられている。
【００９３】
Ｓ１１３の処理（図７参照）において図１３に示す第二階調値データテーブル５２を参照すること以外の条件は、第二具体例と同様の条件である場合について述べる。この例示を第五具体例という。第五具体例の場合において、Ｓ１１３の処理が実行されると、例示画像データテーブル５４（図９参照）と第二階調値データテーブル５２（図１３参照）とが参照され、図１４に示す例示画像がディスプレイ２２に表示される。
【００９４】
例示画像データテーブル５４（図９参照）において、領域２２１のビット７１，７２，８１，８２は「１１００」である。そして、第二階調値データテーブル５２（図１３参照）において、「１１００」は第一階調値に対応付けられている。このため、第二具体例の場合における例示画像（図１１参照）とは異なり、領域２２１の画像ピクセルは、第一階調値で表示される（図１４参照）。同様に、第二具体例の場合における例示画像（図１１参照）とは異なり、領域２２２の画像ピクセルは第一階調値で表示され、「Ｃ」「Ｄ」「Ｅ」「Ｆ」に対応する書き込みピクセルは第二階調値で表示される（図１４参照）。また、領域２２３および領域２２４は、第二階調値ではない。
【００９５】
以上、第五具体例の場合、画像ピクセルを書き込み階調値である第二階調値とは異なる階調値でディスプレイ２２に表示すると共に、「Ｃ」「Ｄ」「Ｅ」「Ｆ」に対応する書き込みピクセルを書き込み階調値である第二階調値で、ディスプレイ２２に表示することができる。画像ピクセルと書き込みピクセルとの階調値が異なるので、ユーザが書き込んだ文字等を視認し易いように表示することができる。
【００９６】
また、書き込み階調値は第一階調値の一の階調値のみであったが、これに限定されない。例えば、書き込み階調値を複数の階調値にしてもよい。また、ユーザ毎にそれぞれ異なる書き込み階調値でディスプレイ２２できるようにしてもよい。この場合、例えば、Ｓ１１３の処理において参照される、第二階調値データテーブル５２（図５参照）を図１５に示すように変更すればよい。
【００９７】
図１５に示すように、画像ピクセルのうち、ビット７１，７２，８１，８２が「１１００」、「１０００」、「０１００」である画像ピクセルは第三階調値に対応付けられている。「００００」である画像ピクセルは第四階調値に対応付けられている。また、書き込みピクセルのうち、ビット８１，８２が「１１」、「１０」である書き込みピクセルは、第一階調値に対応付けられ、「０１」である画像ピクセルは、第二階調値で対応付けられている。ビット８１，８２が「１１」、「１０」、「０１」である書き込みピクセルに対応付けられた第一階調値および第二階調値が、書き込み階調値である。画像ピクセルは、書き込み階調値とは異なる第三階調値または第四階調値に対応付けられている。
【００９８】
ここで、ユーザ「Ｍｉｋｅ」が「Ｃ」を、例示画像の領域２２１に書き込み、「Ｅ」を領域２２３に書き込んだとする。また、ユーザ「Ｊａｎｅ」が「Ｄ」を領域２２２に書き込み、「Ｆ」を領域２２４に書き込んだとする。また、ユーザ「Ｍｉｋｅ」が書き込み入力を行った書き込みピクセルでは、Ｓ１０９の処理においてビット８１が「１」に設定され、ユーザ「Ｊａｎｅ」が書き込み入力を行った書き込みピクセルでは、Ｓ１０９の処理においてビット８２が「１」に設定されるとする。以下、この例示を、第六具体例という。
【００９９】
第六具体例の場合、Ｓ１０９の処理によって例示画像データテーブル５４は、図１６にように設定される。「Ｃ」「Ｅ」は、ユーザ「Ｍｉｋｅ」が入力しているため、ビット８１が「１」と設定され、「Ｄ」「Ｆ」は、ユーザ「Ｊａｎｅ」が入力しているため、ビット８２が「１」と設定されている。そして、階調値調整モードが設定され（Ｓ１１０：ＹＥＳ）、範囲モードが設定されていない場合（Ｓ１１２：ＮＯ）、例示画像データテーブル５４（図１６参照）と第二階調値データテーブル５２（図１５参照）とが参照され、図１７に示す例示画像が、ディスプレイ２２に表示される（Ｓ１１３）。
【０１００】
例示画像データテーブル５４（図１６参照）において、「Ｄ」「Ｆ」に対応する画像ピクセルのビット８１，８２は「０１」である。そして、第二階調値データテーブル５２（図１５参照）において、「０１」は第二階調値に対応付けられている。このため、Ｓ１１３の処理では、ユーザ「Ｊａｎｅ」が書き込んだ「Ｄ」「Ｆ」に対応する書き込みピクセルは、第二階調値で表示される（図１７参照）。同様に、ユーザ「Ｍｉｋｅ」が書き込んだ「Ｃ」「Ｅ」に対応する書き込みピクセルは、第一階調値で表示される。また、領域２２１，２２２，２２３は、第三階調値で表示され、領域２２４は、第四階調値で表示される。
【０１０１】
以上、第六具体例の場合、ユーザ毎に異なる階調値で、書き込み表示をディスプレイ２２に表示することができる。このため、ユーザは、書き込み入力を行ったユーザがそれぞれ異なることを容易に視認することができる。また、画像ピクセルを書き込み階調値とは異なる階調値でディスプレイ２２に表示することができる。このため、ユーザが書き込んだ文字等を視認し易いように表示することができる。
【０１０２】
また、ユーザの指示に従って、特定のユーザによって書き込まれた文字等を表示できるようにしてもよい。この場合、図７に示すメイン処理に加えて、図１８に示す選択処理が行われる。メイン処理が実行されている間、選択処理も実行されている。選択処理は、ＣＰＵ２１によって実行される。
【０１０３】
図１８に示す選択処理では、まず、Ｓ１０２の処理（図７参照）で識別されたユーザによる書き込み表示のうち、ユーザによって、特定のユーザによる書き込み表示が選択されたか否かが判断される（Ｓ２０１）。なお、ＣＰＵ２１は、書き込みを行ったユーザのユーザＩＤをディスプレイ２２に表示することが可能である。ユーザは、表示されたユーザＩＤを、入力部３４またはタッチパネル３６を使用して選択することで、特定のユーザによる書き込み表示を選択する。
【０１０４】
特定のユーザによる書き込み表示が選択されていない場合には（Ｓ２０１：ＮＯ）、Ｓ２０１に戻り、処理が繰り返される。特定のユーザによる書き込み表示が選択された場合には（Ｓ２０１：ＹＥＳ）、選択されたユーザのユーザＩＤがＲＡＭ２５に記憶される（Ｓ３０１）。次いで、Ｓ２０１に戻り、処理が繰り返される。
【０１０５】
ＣＰＵ２１は、図７に示すＳ１１１、Ｓ１１３、およびＳ１１４の処理において、Ｓ３０１の処理でＲＡＭ２５に記憶されたユーザＩＤを参照する。そして、ＣＰＵ２１は、記憶されたユーザＩＤに対応する書き込みピクセルを、第二ビット８の値に基づいて選択し、画像ピクセルと選択した書き込みピクセルとをディスプレイ２２に表示する（Ｓ１１１、Ｓ１１３、およびＳ１１４）。
【０１０６】
例えば、例示画像データテーブル５４が図１６に示すように設定され、第二階調値データテーブル５２が図５に示すように設定されている場合について説明する。なお、階調値調整モードが設定されており、範囲モードが設定されていないとする。また、ユーザは、ユーザ「Ｍｉｋｅ」が書き込み入力を行った書き込み表示をディスプレイ２２に表示させるとする。この例示を第七具体例という。
【０１０７】
第七具体例の場合において、ユーザによって、ユーザ「Ｍｉｋｅ」による書き込み表示が選択されると（Ｓ２０１：ＹＥＳ）、選択されたユーザのユーザＩＤ「Ｍｉｋｅ」がＲＡＭ２５に記憶される（Ｓ３０１）。図７に示すように、書き込み表示指示が検出され（Ｓ１０７）、階調値調整モードが設定されており（Ｓ１１０：ＹＥＳ）、範囲モードが設定されていない場合（Ｓ１１２：ＮＯ）、Ｓ１１３の処理が行われる。
【０１０８】
例示画像データテーブル５４（図１６参照）において、ユーザ「Ｍｉｋｅ」が入力した書き込みピクセルは、ビット８１が「１」である「Ｃ」「Ｅ」に対応する書き込みピクセルである。このため、Ｓ３０１の処理においてＲＡＭ２５に記憶されたユーザＩＤ「Ｍｉｋｅ」が参照され、ユーザＩＤ「Ｍｉｋｅ」に対応する書き込みピクセルが、第二ビット８の値に基づいて選択される（Ｓ１１３）。つまり、ビット８１が「１」である「Ｃ」「Ｅ」に対応する書き込みピクセルが選択される（Ｓ１１３）。そして、画像ピクセルと、選択された書き込みピクセルとが、ディスプレイ２２に表示される（Ｓ１１３）。これによって、図１９に示す例示画像がディスプレイ２２に表示される。
【０１０９】
図１９に示すように、例示画像データテーブル５４（図１６参照）においてビット８１が「１」である「Ｃ」「Ｅ」が、第一階調値でディスプレイ２２に表示されている。一方、ビット８１が「０」である「Ｄ」「Ｆ」に対応する書き込むピクセルは、ディスプレイ２２には表示されない。つまり、Ｓ２０１の処理において選択されたユーザ「Ｍｉｋｅ」が入力した書き込み表示がディスプレイ２２に表示され、選択されていないユーザ「Ｊａｎｅ」が入力した書き込み表示は、表示されていない。また、領域２２１，２２２，２２３，２２４は、「Ｃ」「Ｅ」の書き込み階調値である第一階調値とは異なる階調値で表示されている。このように、ユーザが選択した特定のユーザ「Ｍｉｋｅ」による書き込み表示と、画像とを異なる階調値で表示することができるため、ユーザは、特定のユーザが書き込んだ文字等を視認し易くなる。
【０１１０】
なお、本変形例において、Ｓ１１１、Ｓ１１３、およびＳ１１４の処理において、書き込みピクセルを選択する処理を行うＣＰＵ２１が本発明の「選択手段」に相当する。Ｓ１１３およびＳ１１４の処理において、選択した書き込みピクセルと画像ピクセルとをディスプレイ２２に表示する処理を行うＣＰＵ２１が本発明の「第二表示制御手段」に相当する。
【符号の説明】
【０１１１】
１    表示装置
７    第一ビット
８    第二ビット
２１    ＣＰＵ
２２    ディスプレイ
２５    ＲＡＭ
３４    入力部
３６    タッチパネル
５１    第一階調値データテーブル
５２    第二階調値データテーブル
５３    第三階調値データテーブル
７１，７２，８１，８２    ビット
２４１    プログラム記憶領域
２７１，３５１    画像データ記憶領域
２７２    第一階調値データテーブル記憶領域
２７３    第二階調値データテーブル記憶領域
２７４    第三階調値データテーブル記憶領域
【図１】
2012053541.tif 000003
【図２】
2012053541.tif 000004
【図３】
2012053541.tif 000005
【図４】
2012053541.tif 000006
【図５】
2012053541.tif 000007
【図６】
2012053541.tif 000008
【図７】
2012053541.tif 000009
【図８】
2012053541.tif 000010
【図９】
2012053541.tif 000011
【図１０】
2012053541.tif 000012
【図１１】
2012053541.tif 000013
【図１２】
2012053541.tif 000014
【図１３】
2012053541.tif 000015
【図１４】
2012053541.tif 000016
【図１５】
2012053541.tif 000017
【図１６】
2012053541.tif 000018
【図１７】
2012053541.tif 000019
【図１８】
2012053541.tif 000020
【図１９】
2012053541.tif 000021